(57)【要約】【課題】フィルタを通じて外部から入ってくる空気が直接ディスク上へ運ばれるリスクを低減し、信頼性の高い呼吸フィルタ、およびこれを備えたディスク装置を提供する。【解決手段】ディスク装置は、ディスク状の記録媒体１６を収納する筺体１０と、記録媒体を回転させる駆動部と、記録媒体に対して情報処理を行うヘッドと、筺体内に設けられる呼吸フィルタ５０であって、記録媒体に対向する内側部と、この内側部に対して記録媒体と反対側に位置する外側部とを有し、空気中の物質を吸着させる吸着材８０を収容するケーシングと、ケーシングに形成され外気を取り入れる吸気孔５６と、外側部に設けられ、吸着材を通過した外気をディスク装置内に排気する排気口５７と、を備える呼吸フィルタと、を具備する。【選択図】    図５
2011008841.tif 000002
【特許請求の範囲】
【請求項１】
ディスク状の記録媒体を収納する筺体と、
前記記録媒体を回転させる駆動部と、
前記記録媒体に対して情報処理を行うヘッドと、
前記筺体内に設けられる呼吸フィルタであって、前記記録媒体に対向する内側部と、この内側部に対して前記記録媒体と反対側に位置する外側部とを有し、空気中の物質を吸着させる吸着材を収容するケーシングと、前記ケーシングに形成され外気を取り入れる吸気孔と、前記外側部に設けられ、前記吸着材を通過した外気をディスク装置内に排気する排気口と、を備える呼吸フィルタと、
を具備することを特徴とするディスク装置。
【請求項２】
前記呼吸フィルタのケーシングは、前記記録媒体と対向する内側壁と前記内側壁に対して前記記録媒体と反対側に位置する外側壁と、前記吸気孔が形成される底壁と、を有し、前記排気口は、前記外側壁に形成されている請求項１に記載のディスク装置。
【請求項３】
前記呼吸フィルタは、通気性を有し前記排気口を覆うカバーを有している請求項２に記載のディスク装置。
【請求項４】
前記呼吸フィルタのケーシングは、前記吸気孔と前記排気口との間に設けられた排気側隔壁を有している請求項１に記載のディスク装置。
【請求項５】
前記呼吸フィルタのケーシングは、前記底壁と対向する上面開口と、通気性を有し上面開口を覆うカバーと、上記カバーおよび前記外側壁を隙間を置いて覆うとともに、外側壁の端部に前記排気口を形成する外面カバーと、を備えている請求項１に記載のディスク装置。
【請求項６】
前記呼吸フィルタのケーシングは、前記上面カバーの内面に形成され、前記カバーと対向する吸着層を有している請求項５に記載のディスク装置。
【請求項７】
ディスク状の記録媒体を備えるディスク装置に用いる呼吸フィルタであって、
前記記録媒体に対向する内側部と、この内側部に対して前記記録媒体と反対側に位置する外側部とを有し、空気中の物質を吸着させる吸着材を収容するケーシングと、
前記ケーシングに形成され外気を取り入れる吸気孔と、
前記外側部に設けられ、前記吸着材を通過した外気をディスク装置内に排気する排気口と、を備えることを特徴とする呼吸フィルタ。
【発明の詳細な説明】
【技術分野】
【０００１】
この発明は、ディスク装置および、ディスク装置に用いるフィルタに関する。
【背景技術】
【０００２】
近年、コンピュータの外部記録装置や画像記録装置として磁気ディスク装置、光ディスク装置などのディスク装置が広く用いられている。  
一般に、磁気ディスク装置、例えば、ハードディスクドライブ（以下、ＨＤＤと称する）は、磁気ディスク、磁気ディスクを回転駆動するスピンドルモータ、磁気ディスクに対してデータのリード／ライトを行う磁気ヘッド、磁気ヘッドを支持したキャリッジアッセンブリ、キャリッジアッセンブリを駆動するボイスコイルモータ、基板ユニット等を備え、これらはほぼ密閉構造の筐体に収容されている。ＨＤＤは、筐体に形成された通気孔から流入する外気の塵挨、湿気、ガス成分を除去する呼吸フィルタを備えている。
【０００３】
ＨＤＤにおいて、筐体内外を通じる流路として、活性炭等の吸着材を多く搭載できるケーシングタイプの呼吸フィルタが広く用いられている。筺体のベースあるいはトップカバーに呼吸孔を設け、この呼吸孔に重ねて呼吸フィルタを貼り付ける構造の場合、ケーシングにおいて、呼吸孔と反対側に排気口を有し、呼吸孔からケーシング内に入った外気は、活性炭等により濾過された後、排気口から筺体内部に流入する（例えば、特許文献１）。
【先行技術文献】
【特許文献】
【０００４】
【特許文献１】特開平０９−１４７５４４号公報
【発明の概要】
【発明が解決しようとする課題】
【０００５】
上記のように構成されたＨＤＤにおいて、呼吸フィルタを通じて筐体外部より内部へ入った空気は、フィルタで除去しきれなかった外部の埃、塵等の汚濁物を含む可能性がある。また、呼吸フィルタに強い衝撃が作用した場合、呼吸フィルタの吸着材として封入している活性炭等が、排気口に貼り付けたメンブレン等を通り抜けて筐体内へ入る可能性が考えられ、これらの場合、呼吸フィルタの排気口付近に汚濁物が存在する可能性が高い。
【０００６】
磁気ディスク装置において、ディスクが回転している時に発生する空気の流れは、ディスク表面近くではディスク中心から外周側へ向かう流れとなり、ディスクから離れた面、すなわちベース、ないしはトップカバー近くでは、ディスクの外周側から中心へ向かう流れとなる。ケーシングタイプの呼吸フィルタにおいて、上述のように排気口を呼吸孔の反対側とし、かつ吸着材を多く搭載できるように十分な高さの構成とすると、必然的にその排気口は、ケーシングを貼り付けた面の反対側のベース、あるいはトップカバーの面近くとなる。そのため、呼吸フィルタを通じて装置の筺体外部から内部へ入った汚濁物や、フィルタの吸着材の粉末等を含むリスクのある空気が、ディスク中心側へ向かう流れに引き込まれる。この流れは、ディスク中心でディスクに近づき、今度は外周側へ向かってディスク表面を流れる流れとなるため、この流れに汚濁物等がふくまれることはディスク表面や磁気ヘッドを傷つけるリスクがあり、磁気ディスク装置の信頼性を損ねる要因となる。
【０００７】
この発明は以上の点に鑑みなされたもので、その目的は、フィルタを通じて外部から入ってくる空気が直接ディスク上へ運ばれるリスクを低減し、信頼性の向上を図ることが可能なディスク装置、およびディスク装置に用いる呼吸フィルタを提供することにある。
【課題を解決するための手段】
【０００８】
上記目的を達成するため、この発明の態様に係るディスク装置は、ディスク状の記録媒体を収納する筺体と、前記記録媒体を回転させる駆動部と、前記記録媒体に対して情報処理を行うヘッドと、前記筺体内に設けられる呼吸フィルタであって、前記記録媒体に対向する内側部と、この内側部に対して前記記録媒体と反対側に位置する外側部とを有し、空気中の物質を吸着させる吸着材を収容するケーシングと、前記ケーシングに形成され外気を取り入れる吸気孔と、前記外側部に設けられ、前記吸着材を通過した外気をディスク装置内に排気する排気口と、を備える呼吸フィルタと、を具備することを特徴とする。
【０００９】
この発明の他の形態に係る呼吸フィルタは、ディスク状の記録媒体を備えるディスク装置に用いる呼吸フィルタであって、前記記録媒体に対向する内側部と、この内側部に対して前記記録媒体と反対側に位置する外側部とを有し、空気中の物質を吸着させる吸着材を収容するケーシングと、前記ケーシングに形成され外気を取り入れる吸気孔と、前記外側部に設けられ、前記吸着材を通過した外気をディスク装置内に排気する排気口と、を備えることを特徴としている。
【発明の効果】
【００１０】
上記構成によれば、フィルタを通じて外部から入ってくる空気が直接ディスク上へ運ばれるリスクを低減し、信頼性の向上を図ることが可能な呼吸フィルタ、およびこれを備えたディスク装置を提供することができる。
【図面の簡単な説明】
【００１１】
【図１】図１は、この発明の実施形態に係るＨＤＤを、そのトップカバーを取外して示す平面図。
【図２】図２は、上記ＨＤＤの磁気ディスクおよび呼吸フィルタを示す斜視図。
【図３】図３は、前記呼吸フィルタを拡大して示す斜視図。
【図４】図４は、前記磁気ディスク上での空気の流れと前記呼吸フィルタとの関係を示す図２の線Ａ−Ａに沿ったＨＤＤの断面図。
【図５】図５は、前記呼吸フィルタを拡大して示す断面図。
【図６】図６は、この発明の第２の実施形態に係る呼吸フィルタの断面図。
【図７】図７は、前記第２の実施形態に係る呼吸フィルタの製造工程を示す斜視図。
【発明を実施するための形態】
【００１２】
以下図面を参照しながら、この発明の実施形態に係るＨＤＤについて詳細に説明する。  
図１は、第１の実施形態に係るＨＤＤのトップカバーを取り外して内部構造を示している。図１に示すように、ＨＤＤは筺体１０を備えている。筺体１０は、上面の開口した矩形箱状のベース１２と、複数のねじによりベースにねじ止めされてベースの上端開口を閉塞した後述するトップカバー１１と、を有している。ベース１２は、矩形状の底壁１２ａと、底壁の周縁に沿って立設された側壁１２ｂとを有している。
【００１３】
筺体１０内には、ベース１２の底壁１２ａに取り付けられたスピンドルモータ１８と、このスピンドルモータによって支持および回転される磁気ディスク１６とが配設されている。また、筺体１０内には、磁気ディスク１６に対して情報の記録、再生を行なう複数の磁気ヘッド１７、これらの磁気ヘッドを磁気ディスク１６に対して移動自在に支持したキャリッジアッセンブリ２２、キャリッジアッセンブリを回動および位置決めするボイスコイルモータ（以下ＶＣＭと称する）２４、磁気ヘッドが磁気ディスクの最外周に移動した際、磁気ヘッドを磁気ディスクから離間した退避位置に保持するランプロード機構２５、ＨＤＤに衝撃等が作用した際、キャリッジアッセンブリを退避位置に保持するイナーシャラッチ機構２７、およびプリアンプ等を有する基板ユニット２１が収納されている。ベース１２の底壁１２ａ外面には、図示しないプリント回路基板がねじ止めされている。プリント回路基板は、基板ユニット２１を介してスピンドルモータ１８、ＶＣＭ２４、および磁気ヘッドの動作を制御する。
【００１４】
記録媒体としての磁気ディスク１６は、例えば、直径６５ｍｍ（２．５インチ）に形成され、上面および下面に磁気記録層を有している。磁気ディスク１６は、スピンドルモータ１８の図示しないハブに互いに同軸的に嵌合されているとともにクランプばね２７によりクランプされ、ハブに固定されている。これにより、磁気ディスク１６は、ベース１２の底壁１２ａおよびトップカバーと平行に位置した状態に支持されている。そして、磁気ディスク１６は、駆動部としてのスピンドルモータ１８により所定の速度、例えば、５４００ｒｐｍあるいは７２００ｒｐｍの速度で矢印Ａ方向に回転される。
【００１５】
側壁１２ｂの内、ベース１２の長手方向のほぼ半分の領域に位置した側壁１２ｂは、磁気ディスク１６の外周縁を囲んで位置している。この側壁１２ｂの内面１２ｃは、磁気ディスク１６の外周縁に沿って円弧状に形成され、磁気ディスクの外周縁に僅かな隙間を置いて対向している。
【００１６】
キャリッジアッセンブリ２２は、ベース１２の底壁１２ａ上に固定された軸受部２６と、軸受部から延出した２本のアーム２８と、を備えている。軸受部２６は、ベース１２の長手方向に沿って磁気ディスクの回転中心から離間して位置しているとともに、磁気ディスクの外周縁近傍に位置している。２本のアーム２８は、磁気ディスク１６の表面と平行に、かつ、互いに所定の間隔を置いて位置しているとともに、軸受部２６から同一の方向へ延出している。キャリッジアッセンブリ２２は、弾性変形可能な細長い板状のサスペンション３０を備えている。サスペンション３０は、その基端がスポット溶接あるいは接着によりアーム２８の先端に固定され、アームから延出している。なお、各サスペンション３０は対応するアーム２８と一体に形成されていてもよい。
【００１７】
サスペンション３０の延出端には磁気ヘッド１７が取り付けられている。磁気ヘッド１７は、ほぼ矩形状のスライダとこのスライダに形成された記録再生用のＭＲ（磁気抵抗）ヘッドとを有し、サスペンション３０の先端部に形成されたジンバル部に固定されている。それぞれサスペンション３０に取り付けられた２つの磁気ヘッド１７は、互いに向かい合って位置し、磁気ディスク１６を両面側から挟むように配設されている。
【００１８】
一方、キャリッジアッセンブリ２２は、軸受部２６からアーム２８と反対の方向へ延出した支持枠３４を有し、この支持枠により、ＶＣＭ２４の一部を構成するボイスコイル３６が支持されている。支持枠３４は、合成樹脂によりボイスコイル３６の外周に一体的に成形されている。ボイスコイル３６は、ベース１２上に固定された一対のヨーク３８間に位置し、これらのヨーク、および一方のヨークに固定された図示しない磁石とともにＶＣＭ２４を構成している。ボイスコイル３６に通電することにより、軸受部２６の回りでキャリッジアッセンブリ２２が矢印Ｂ方向に回動し、磁気ヘッド１７は磁気ディスク１６の所望のトラック上に移動および位置決めされる。これにより、磁気ヘッド１７は、磁気ディスク１６に対して情報の書き込みあるいは読み出しを行うことができる。キャリッジアッセンブリ２２およびＶＣＭ２４はヘッドアクチュエータを構成している。
【００１９】
ランプロード機構２５は、ベース１２の底壁１２ａに設けられているとともに磁気ディスク１６の外側に配置されたランプ４０と、各サスペンション３０の先端から延出したタブ４２と、を備えている。ランプ４０は、磁気ディスク１６の回転方向Ａに関して、軸受部２６の下流側に位置している。キャリッジアッセンブリ２２が回動し、磁気ヘッド３２が磁気ディスク１６ａ、１６ｂの外側の退避位置まで回動する際、各タブ４２は、ランプ４０に形成されたランプ面と係合し、その後、ランプ面の傾斜によって引き上げられ、磁気ヘッド３２をアンロードする。
【００２０】
基板ユニット２１は、フレキシブルプリント回路基板により形成された本体２１ａを有し、この本体２１ａはベース１２の底壁１２ａに固定されている。本体２１ａ上にはヘッドアンプ等の電子部品が実装されている。基板ユニット２１は本体２１ａから延出したメインフレキシブルプリント回路基板（以下、メインＦＰＣと称する）２１ｂを有している。メインＦＰＣ２１ｂの延出端は、キャリッジアッセンブリ２２の軸受部２６近傍に接続され、更に、アーム２８およびサスペンション３０上に設けられた図示しないケーブルを介して磁気ヘッド１７に電気的に接続されている。基板ユニット２１の本体底面にはプリント回路基板と接続するための図示しないコネクタが実装されている。
【００２１】
ＨＤＤは、トップカバーあるいはベース１２の底壁１２ａに形成された呼吸孔から流入する外気に含まれる物質、例えば、塵挨、湿気、ガス成分等の汚濁物、を捕獲除去する呼吸フィルタ５０、および可動部の稼動によって筐体内に発生した塵埃を捕獲する循環フィルタ５１を備えている。これらの呼吸フィルタ５０および循環フィルタ５１は、磁気ディスク１６の周囲に配設されている。
【００２２】
詳細に述べると、循環フィルタ５１は、例えば、矩形のマット状に形成され、ベース１２の角部の内、磁気ディスク１６の回転方向Ａに関して、磁気ヘッド１７あるいはランプ４０の下流側で磁気ヘッド１７あるいはランプ４０に最も近い角部に設けられている。ベース１２は、側壁１２ｂに形成され循環フィルタ５１に空気流を導くガイド流路５３を有している。磁気ディスク１６が高速回転することによりその回転方向に沿った空気流が発生する。空気流の一部は、ガイド流路５３に流入し、循環フィルタ５１を通過し、空気流に含まれる塵埃が循環フィルタ５１に捕獲される。その後、空気流は、磁気ディスク１６の方向に戻され、磁気ディスクの外周縁に沿って流れる空気流と合流される。
【００２３】
一方、呼吸フィルタ５０は、ベース１２の角部の内、磁気ディスク１６の回転方向Ａに関して、循環フィルタ５１の下流側で循環フィルタに最も近い角部に設けられている。図２は、呼吸フィルタと磁気ディスク１６と配置関係を示す斜視図、図３は、呼吸フィルタを拡大して示す斜視図、図４は、呼吸フィルタと磁気ディスク１６と配置関係を示すＨＤＤの断面図、図５は、呼吸フィルタを拡大して示す断面図である。
【００２４】
図２、図３および図５に示すように、呼吸フィルタ５０は、合成樹脂等により形成された細長いほぼ矩形状あるいは円弧状のケーシング５２を備えている。ケーシング５２は、ほぼ平坦な上壁および底壁５４ａ、磁気ディスク１６の外周縁形状に沿ったほぼ円弧状の内側壁５４ｂ、および内側壁と反対側に位置する外側壁５４ｃとを有している。外側壁５４ｃは、筺体１０の側壁１２ｂの角部に合わせてほぼ台形状に形成されている。
【００２５】
ケーシング５２の底壁５４ａには、吸気孔５６が形成され、また、外側壁５４ｃには、排気口５７が形成されている。排気口５７は、メンブレン等の通気性を有するカバーフィルム５８によって覆われている。ケーシング５２内には、底壁５４ａと平行に、かつ、隙間を置いて、下部隔壁６０が形成され、底壁と下部隔壁６０との間に通気路６１が形成されている。また、下部隔壁６０において、排気口５７から離れた位置に通気孔６２が形成されている。通気路６１は、吸気孔５６および通気孔６２に連通している。
【００２６】
ケーシング５２内には排気側隔壁６４が立設され、この排気側隔壁は、排気口５７と隙間を置いて対向している。排気側隔壁６４の上端は、ケーシング５２の上壁と隙間を置いて位置し、上壁との間に通気路６６を形成している。
【００２７】
ケーシング５２の上壁には、比較的大きな上面開口６７が形成され、組立時に、この上面開口６７からケーシング５２内に、活性炭等の吸着材８０が充填される。吸着材８０の充填後、上面開口６７は、ＰＥＴのような通気性のないカバーフィルム６８で塞がれている。
【００２８】
上記のように構成された呼吸フィルタ５０は、図１、図２、図４、および図５に示すように、筺体１０に形成され呼吸孔８２に重ねて設けられている。本実施形態において、呼吸孔８２は、例えば、ベース１２の底壁１２ａに貫通形成され、この呼吸孔８２を通して、外気を筺体１０へ吸い込みことができる。呼吸孔８２は、筺体１０の角部に形成されている。
【００２９】
呼吸フィルタ５０は、呼吸孔８２を覆うように、ケーシング５２の底面が粘着層８４によりベース１２の底壁１２ａ上に貼り付けられている。この際、ケーシング５２は、底壁５４ａの吸気孔５６が呼吸孔８２と整列して位置し、呼吸孔８２と連通するように、配置されている。
【００３０】
また、ケーシング５２は、内側壁５４ｂが磁気ディスク１６の外周縁と僅かな隙間を置いて対向し、かつ、外側壁５４ｃが磁気ディスク１６と反対側に位置した状態で、配置されている。これにより、外側壁５４ｃに形成された排気口５７は、磁気ディスク１６の反対側に位置し、磁気ディスクから離れて位置している。また、ケーシング５２の上壁は、トップカバー１１と隙間を置いて対向している。
【００３１】
上記のように構成されたＨＤＤによれば、スピンドルモータ１８により駆動されて磁気ディスク１６が高速で回転すると、図４および図５に矢印で示すように、磁気ディスク１６の表面に沿ってディスクの内周側から外周側へ向かう空気の流れが生じる。このため、磁気ディスク中心部は気圧が低くなり、その結果、トップカバー１１あるいはベース１２に沿って磁気ディスク中心部へ流れ込む空気の流れが発生する。従って、トップカバー１１およびベース１２の底壁１２ａ付近では、磁気ディスク１６の外周側から中心部へ向かう空気の流れが存在し、この流れに汚濁物等が混入すると、磁気ディスク表面へ運ばれる可能性が高く、磁気ディスクの信頼性を損なう。
【００３２】
呼吸フィルタ５０においては、図５に示すように、呼吸孔８２から吸気孔５６を通して呼吸フィルタ５０内に流入する外気は、通気路６１を流れ、通気孔６２からケーシング５２の収容室７９内に流入する。そして、外気は、収容室７９内に収容された活性炭等の吸着材８０内を通り、この際、吸着材８０により外気中に含まれる塵挨、湿気、ガス成分等の汚濁物が除去される。汚濁物が除去された外気は、通気路６６を通って排気口５７に向かい、カバーフィルム５８を通して筺体１０内に排気される。このように、ケーシング５２内に、下部隔壁６０、通気孔６２、排気側隔壁６４、および通気路６６が設けられていることから、吸気孔５６からケーシング５２内に流入した外気は、直接、排気口５７に流れ込むことがなく、活性炭等の吸着材８０に十分接触した後に、排気口５７から排気される。これにより、外気中の汚濁物を効率よく除去することができ、呼吸フィルタ５０の機能を有効に発揮することができる。
【００３３】
また、ケーシング５２の排気口５７は、磁気ディスク１６と反対側に位置した外側壁５４ｃに設けられ、磁気ディスク１６と反対側に、磁気ディスクから離れて位置している。すなわち、排気口５７は、磁気ディスク１６の中心側へ向かう空気の流れが生じる領域から離れた位置に設けられている。そのため、呼吸フィルタ５０で除去されずに外気に混じって排気される汚濁物、あるいは、吸着材８０の破片が排気口５７から筺体１０内に排気された場合でも、これらの汚濁物あるいは破片等は、磁気ディスク１６の中心側へ向かう空気の流れによって直接、磁気ディスク１６上へ運ばれることがなくなる。図５に示すように、排気口５７から排出された汚濁物あるいは破片等Ｃは、呼吸フィルタ５０とベース１２の側壁１２ｂとの間の空間に滞留して留まり、磁気ディスク１６の表面上へ運ばれることが抑制される。
【００３４】
以上のことから、呼吸フィルタを通じて外部から入ってくる空気が直接、磁気ディスク１６上へ運ばれるリスクを低減し、信頼性の高い呼吸フィルタ、およびこれを備えたディスク装置が得られる。
【００３５】
なお、上述した第１の実施形態において、呼吸孔８２をベース１２に設け、呼吸フィルタ５０をベースの底壁上に設ける構成としたが、これに限らず、呼吸孔をトップカバーに形成し、呼吸フィルタをトップカバーの内面上に配置する構成としてもよい。この場合においても、ケーシング５２の排気口５７は、磁気ディスク１６と反対側に設けられる。また、呼吸フィルタ５０は、筺体１０内の角部に限らず、他の部位に設けても良い。
【００３６】
次に、この発明の第２の実施形態に係る呼吸フィルタについて説明する。  
図６は、第２の実施形態に係る呼吸フィルタが配置された部分のＨＤＤの断面図、図７は、呼吸フィルタの一部を分解して示す斜視図である。  
図６および図７に示すように、呼吸フィルタ５０は、合成樹脂等により形成された細長いほぼ矩形状あるいは円弧状のケーシング５２を備えている。ケーシング５２は、ほぼ平坦な上壁および底壁５４ａ、磁気ディスク１６の外周縁形状に沿ったほぼ円弧状の内側壁５４ｂ、および内側壁と反対側に位置する外側壁５４ｃとを有している。
【００３７】
ケーシング５２の底壁５４ａには、吸気孔５６が形成されている。ケーシング５２内には、底壁５４ａと平行に、かつ、隙間を置いて、下部隔壁６０が形成され、底壁と下部隔壁６０との間に通気路６１が形成されている。また、下部隔壁６０において、排気口５７から離れた位置に通気孔６２が形成されている。通気路６１は、吸気孔５６および通気孔６２に連通している。
【００３８】
ケーシング５２の上壁には、比較的大きな上面開口６７が形成され、組立時に、この上面開口６７からケーシング５２の収容室７９内に、活性炭等の吸着材８０が充填される。吸着材８０の充填後、上面開口６７は、メンブレン等の通気性を有するカバーフィルム８６で塞がれている。また、カバーフィルム８６および外側壁５４ｃの外側に、隙間８８を置いて、ＰＥＴのような通気性のないフィルム状の外面カバー９０が設けられ、カバーフィルム８６および外側壁５４ｃを外側から覆っている。隙間８８は、外側壁５４ｃの下端部外側で、外部に開口し、排気口５７を形成している。
【００３９】
また、隙間８８は、簡易ラビリンス構造のように汚濁物をプールするプール部の機能を持ち、筺体１０内部へ汚濁物を運ぶ可能性を小さくする。更に、外面カバー９０のカバーフィルム８６側の面に、汚濁物を吸着する吸着層９２を設けても良い。この吸着層９２は、アウトガス等の問題がなければ、ＰＥＴのような通気性のない外面カバー９０をケーシング５２に接着する接着面を開放するだけでも良いし、フローバイフィルタのように汚濁物を吸着する構造物を貼り付けても良い。
【００４０】
図７は、外面カバー９０を貼り付ける前の構造を示している。ケーシング５２の外周部を隙間の分高く成形し、この縁の面に外面カバー９０を貼り付ける。これにより、ケーシング５２の形状に複雑にする必要がなく、製造コストの増加を極力抑えることができる。
【００４１】
上記のように構成された呼吸フィルタ５０は、図６に示すように、筺体１０に形成され呼吸孔８２に重ねて設けられている。呼吸フィルタ５０は、呼吸孔８２を覆うように、ケーシング５２の底面が粘着層８４によりベース１２の底壁１２ａ上に貼り付けられている。この際、ケーシング５２は、底壁５４ａの吸気孔５６が呼吸孔８２と整列して位置し、呼吸孔８２と連通するように、配置されている。
【００４２】
また、ケーシング５２は、内側壁５４ｂが磁気ディスク１６の外周縁と僅かな隙間を置いて対向し、かつ、外側壁５４ｃが磁気ディスク１６と反対側に位置した状態で、配置されている。これにより、外側壁５４ｃに形成された排気口５７は、磁気ディスク１６の反対側に位置し、磁気ディスクから離れて位置している。また、ケーシング５２の上壁は、トップカバー１１と隙間を置いて対向している。
【００４３】
呼吸フィルタ５０において、呼吸孔８２から吸気孔５６を通して呼吸フィルタ５０内に流入する外気は、通気路６１を流れ、通気孔６２からケーシング５２の収容室７９内に流入する。そして、外気は、収容室７９内に収容された活性炭等の吸着材８０内を通り、この際、吸着材８０により外気中に含まれる塵挨、湿気、ガス成分等の汚濁物が吸着、除去される。汚濁物が除去された外気は、上部開口およびカバーフィルム８６を通って隙間８８、つまり、プール部に流入し、更に、排気口５７に向かい筺体１０内に排気される。
【００４４】
吸気孔５６からケーシング５２内に流入した外気は、直接、排気口５７に流れ込むことがなく、活性炭等の吸着材８０に十分接触した後に、排気口５７から排気される。また、吸着材８０により除去しきれなかった汚濁物、あるいは、活性炭の破片等は、プール部にプールされるとともに、吸着層９２に吸着して捕獲される。これにより、呼吸フィルタ５０から筺体１０内へ排出される汚濁物を大幅に減少させることができる。
【００４５】
ケーシング５２の排気口５７は、磁気ディスク１６と反対側に位置した外側壁５４ｃに設けられ、磁気ディスク１６と反対側に、磁気ディスクから離れて位置している。すなわち、排気口５７は、磁気ディスク１６の中心側へ向かう空気の流れが生じる領域から離れた位置に設けられている。そのため、呼吸フィルタ５０で除去されずに外気に混じって排気される汚濁物、あるいは、吸着材８０の破片が排気口５７から筺体１０内に排気された場合でも、これらの汚濁物あるいは破片等は、磁気ディスク１６の中心側へ向かう空気の流れによって直接、磁気ディスク１６上へ運ばれることがなくなる。図６に示すように、排気口５７から排出された汚濁物あるいは破片等Ｃは、呼吸フィルタ５０とベース１２の側壁１２ｂとの間の空間に滞留して留まり、磁気ディスク１６の表面上へ運ばれることが抑制される。
【００４６】
以上のことから、呼吸フィルタを通じて外部から入ってくる空気が直接、磁気ディスク１６上へ運ばれるリスクを低減し、信頼性の高い呼吸フィルタ、およびこれを備えたディスク装置が得られる。
【００４７】
第２の実施形態において、ＨＤＤの他の構成は前述した第１の実施形態と同一であり、同一の部分には同一の参照符号を付してその詳細な説明を省略する。なお、上述した第２の実施形態において、呼吸孔８２をベース１２に設け、呼吸フィルタ５０をベースの底壁上に設ける構成としたが、これに限らず、呼吸孔をトップカバーに形成し、呼吸フィルタをトップカバーの内面上に配置する構成としてもよい。この場合においても、ケーシング５２の排気口５７は、磁気ディスク１６と反対側に設けられる。また、呼吸フィルタ５０は、筺体１０内の角部に限らず、他の部位に設けても良い。
【００４８】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４９】
例えば、呼吸フィルタを構成する要素の材料、形状、大きさ等は、必要に応じて変更可能である。また、磁気ディスク装置において、磁気ディスクおよび磁気ヘッドの数は、必要に応じて増加可能であり、磁気ディスクのサイズも種々選択可能である。
【符号の説明】
【００５０】
１０…筺体、１２…ベース、１２ａ…底壁、１２ｂ…側壁、１６…磁気ディスク、
１７…磁気ヘッド、１８…スピンドルモータ、２２…キャリッジアッセンブリ、
２６…軸受部、２８…アーム、３０…サスペンション、５０…呼吸フィルタ、
５２…ケーシング、５４ａ…底壁、５４ｂ…内側壁、５４ｃ…外側壁、５６…吸気孔、
５７…排気口、５８、８６…カバーフィルム、８０…吸着材、８２…呼吸孔、
９０…外面カバー、９２…吸着層
【図１】
2011008841.tif 000003
【図２】
2011008841.tif 000004
【図３】
2011008841.tif 000005
【図４】
2011008841.tif 000006
【図５】
2011008841.tif 000007
【図６】
2011008841.tif 000008
【図７】
2011008841.tif 000009